(57)【特許請求の範囲】
【請求項１】
ヘッドランプの後方裏面に設けられている筒状の開口部に装着されるＬＥＤ前照灯用交換防水円筒状カバーであって、
前記ＬＥＤ前照灯用交換防水円筒状カバーは、
上面が閉止され下面が開放されている円筒状であり、さらに、
前記ヘッドランプ内にハロゲンランプが取り付けられていた際、前記筒状の開口部に装着される上面が閉止され下面が開放されている円筒状純正防水カバーの取付け構造と同一形状であり、且つ、
前記ＬＥＤ前照灯用交換防水円筒状カバーの円周の前記下面の開放端の周囲に複数の係合片を有し、
前記ＬＥＤ前照灯用交換防水円筒状カバー内で、且つ、前記上面に背向する裏面にＬＥＤ点灯回路が収納できる部位が設けられており、
前記ヘッドランプ内に前記ハロゲンランプに代えてＬＥＤ前照灯が取り付けられていた際、前記筒状の開口部に前記ＬＥＤ前照灯用交換防水円筒状カバーを装着するにあたって、前記上面が前記ヘッドランプの外方に位置し、さらに、前記下面が前記筒状の開口部と対向するように配置し、もって、該上面にて前記筒状の開口部を閉止するように、前記筒状の開口部に前記ＬＥＤ前照灯用交換防水円筒状カバーが装着され、これにより、該ヘッドランプ内で、前記ＬＥＤ点灯回路と前記ＬＥＤ前照灯とが、該ヘッドランプ内に配置されている電源と接続されることによって、電気的に接続されてなるＬＥＤ前照灯用交換防水円筒状カバー。
【請求項２】
ＬＥＤ前照灯用交換防水円筒状カバーの上面に、放熱のためのフィンが設けられてなる請求項１に記載のＬＥＤ前照灯用交換防水円筒状カバー。
【請求項３】
ＬＥＤ前照灯用交換防水円筒状カバーの円周面に、ゴム製のＯ−リングが設けられてなる請求項１又は２に記載のＬＥＤ前照灯用交換防水円筒状カバー。
【請求項４】
ＬＥＤ前照灯用交換防水円筒状カバーに、前記係合片、前記フィンが、一体成形されてなる請求項２に記載のＬＥＤ前照灯用交換防水円筒状カバー。
【請求項５】
前記一体成形の材料が、亜鉛ダイカスト、アルミダイカスト、アルミ材、樹脂から選ばれる１種である請求項４に記載のＬＥＤ前照灯用交換防水円筒状カバー。
【発明の詳細な説明】
【技術分野】
【０００１】
本発明は、ＬＥＤ前照灯用交換防水円筒状カバーに関する。  
【０００２】
近年、発光ダイオードは、低電力で高発光が得られること、寿命が長いこと、構造が簡単なこと、装置がコンパクトであること、など、長所が多いことがら、暫時その使用が広まっている。そのような事情から、ハロゲンランプを用いた灯具から、LEDランプに変えるユーザーが増えている。ハロゲンランプ前照灯の市販車を購入し、ヘッドランプをハロゲンランプからＬＥＤ前照灯に交換した際に、図１に示すように純正のハロゲンランプ前照灯の円筒状カバーに穴をあけて、ＬＥＤ前照灯用ドライバー回路からの信号を送る必要があった。なお、ＬＥＤ前照灯への給電は、図示していないが、ヘッドランプ内の電源からの給電線により、送られてくる。また、ハロゲンランプを用いた灯具においても、ヘッドランプ内に水が浸入しないように、ヘッドランプの裏面に防水のための純正の防水円筒状カバーがつけられている。                                                 しかし、穴を開け配線を通した後の防水性に課題があった。                                 
【背景技術】
【０００３】
従来ハロゲンランプヘッドランプのバルブ裏側にカバーが付いている車両にLED（発光ダイオード）やHID（キセノンランプ）を装着する場合、カバーに穴を開ける等の加工をして配線を通し、点灯回路をヘッドランプの外側に設置する必要があった。その場合、穴を開け作業は大変なことと、本カバーはヘッドランプ内に水が入らないように防水の役割がある為、穴を開け配線を通した後の防水性に課題があることは前述の通りである。図２に示すように、ハロゲンランプのヘッドランプの裏面は、純正の防水円筒状カバーが付けられている。図２中段に示すように、純正の防水円筒状カバーを取り外すと、バルブ（電球）を取り外すことができる。さらに、ＬＥＤ前照灯に置き換えることもできる。交換作業が終了した後、さらに、図３に示すように、灯具本体に取り付けるための係合片を複数個、円筒状カバーの円周上に有し、防水円筒状カバーを回転させて係合片で灯具本体に取り付けたとき、円筒状カバーの周面に設けたゴム製のＯーリングにより、防水性を高めることができる。  
【０００４】
また、図３に示すように、従来のハロゲンランプの防水円筒状カバーには、ドライバー回路等の回路は、組み込まれていない。  
【発明の開示】
【発明が解決しようとする課題】
【０００５】
本発明は、本発明品にカバーを変更するだけで、純正カバーへの穴あけ加工の必要がない。穴あけ作業は作業方法により、防水性にバラつきがあるが、本発明ではカバー交換するだけの為、作業方法によるバラつきがなく、防水性が確保される。点灯回路のケースとカバーを一体化させることにより、点灯回路ケースとしての表面積が大きく確保できる為、点灯回路の冷却効率UPに繋がる。 穴あけ加工をしないため、純正に戻すことも出来るＬＥＤ前照灯用交換防水円筒状カバーを提供する。 
【課題を解決するための手段】
【０００６】
上記課題を解決するために本発明者は、ＬＥＤ前照灯用交換防水円筒状カバーの構造を見出すに至った。すなわち本発明は、ヘッドランプの後方裏面に設けられている筒状の開口部に装着されるＬＥＤ前照灯用交換防水円筒状カバーであって、
前記ＬＥＤ前照灯用交換防水円筒状カバーは、
上面が閉止され下面が開放されている円筒状であり、さらに、
前記ヘッドランプ内にハロゲンランプが取り付けられていた際、前記筒状の開口部に装着される上面が閉止され下面が開放されている円筒状純正防水カバーの取付け構造と同一形状であり、且つ、
前記ＬＥＤ前照灯用交換防水円筒状カバーの円周の前記下面の開放端の周囲に複数の係合片を有し、
前記ＬＥＤ前照灯用交換防水円筒状カバー内で、且つ、前記上面に背向する裏面にＬＥＤ点灯回路が収納できる部位が設けられており、
前記ヘッドランプ内に前記ハロゲンランプに代えてＬＥＤ前照灯が取り付けられていた際、前記筒状の開口部に前記ＬＥＤ前照灯用交換防水円筒状カバーを装着するにあたって、前記上面が前記ヘッドランプの外方に位置し、さらに、前記下面が前記筒状の開口部と対向するように配置し、もって、該上面にて前記筒状の開口部を閉止するように、前記筒状の開口部に前記ＬＥＤ前照灯用交換防水円筒状カバーが装着され、これにより、該ヘッドランプ内で、前記ＬＥＤ点灯回路と前記ＬＥＤ前照灯とが、該ヘッドランプ内に配置されている電源と接続されることによって、電気的に接続されてなるＬＥＤ前照灯用交換防水円筒状カバーである。また、本件発明のＬＥＤ前照灯用交換防水円筒状カバーは、ＬＥＤ前照灯用交換防水円筒状カバーの上面に、放熱のためのフィンが設けられてなることが好ましい。
【０００７】
さらに、本件発明のＬＥＤ前照灯用交換防水円筒状カバーは、ＬＥＤ前照灯用交換防水円筒状カバーの円周面に、ゴム製のＯ−リングが設けられてなることが好ましい。また、本件発明のＬＥＤ前照灯用交換防水円筒状カバーは、ＬＥＤ前照灯用交換防水円筒状カバーに、前記係合片、前記フィンが、一体成形されてなることが望ましい。さらに、本件発明のＬＥＤ前照灯用交換防水円筒状カバーは、一体成形の材料が、亜鉛ダイカスト、アルミダイカスト、アルミ材、樹脂から選ばれる１種とすることができる。
【発明の効果】
【０００８】
本発明のＬＥＤ前照灯用交換防水円筒状カバーは、純正の防水円筒状カバーに穴をあける必要がないため純正カバーを保存しておき、再度ハロゲンパンプに置き換えたときに、保存していた純正カバーを取り出してきて、無傷のまま再利用することができる。カバー内に点灯ユニットが入っている為、LED、HIDに光源を変更する際、本発明品にカバーを変更するだけで、純正カバーへの穴あけ加工の必要がない。穴あけ加工をしないため、防水性を高度に保つことができる。
【図面の簡単な説明】
【０００９】
【図１】従来のハロゲンランプ前照灯裏面の純正防水円筒状カバーと交換用のＬＥＤドライバー回路
【図２】ヘッドランプ裏面の説明図
【図３】従来のハロゲンランプ前照灯裏面の純正防水円筒状カバーと円筒状カバーの中身
【図４】本発明のＬＥＤ前照灯用交換防水円筒状カバーの説明図
【図５】本発明のＬＥＤ前照灯用交換防水円筒状カバーと円筒状カバーの中身
【発明を実施するための形態】
【００１０】
本発明のＬＥＤ前照灯用交換防水円筒状カバーは、純正防水カバーと同じ形状をしているため、交換が容易に行えるばかりか、亜鉛ダイカスト、アルミダイカスト、アルミ材、樹脂等の材質を使用したカバーの内側に点灯回路を納めた事により、純正で付いているカバーと交換することだけでカバーの加工が必要なく、簡単に交換が出来る。また、純正に戻す際も純正カバーに加工を行っていない為、純正カバーを戻せばそのまま純正状態に戻すことが出来る。本発明のＬＥＤ前照灯用交換防水円筒状カバーを作成する材料として、アルミ材としては、純アルミ1050（A1050)、耐食アルミ5052と5056（A5052とA5056）、アルミ2017（A2017)、アルミ2024と7075（A2024とA7075）、快削アルミ2011（A2011）、アルミ6063（A6063）、アルミ6061（A6061)、アルミ5083（A5083）、アルミーゴHard、等を挙げることが出来る。樹脂材料としては、ポリプロピレン（PP）、ナイロン（PA)、ポリフェニレンスルファイド（PPS)、ABS樹脂（ABS)、ポリエチレン（PE)、ポリセタール（POM)等を挙げることが出来る。また、本発明のＬＥＤ前照灯用交換防水円筒状カバーを作成する樹脂材料として、タルク、シリカ、珪藻土、雲母、金属粉等の無機物粒子を含む樹脂材料であってもよい。さらに、樹脂材料には、周知の安定剤や酸化防止剤、老化防止剤、着色剤を含むことができる。
【００１１】
点灯回路（ドライバー回路）は装着時の汎用性を考え通常出来るだけ小さくしたい為、小さなケースに入れることが一般的ですが、放熱性を高くしたい場合、大きなケースに入れ、表面積を大きくし、放熱性を高めます。しかし、大きくすると装着場所が限られてしまい装着できない車両がある。本発明は、点灯回路収納ケースとカバーを共通部品としていることにより、カバー自体も放熱に効果のある部品となり、大きさも広くとれる為、点灯回路の冷却効率UPに繋がります。 
【００１２】
本発明のＬＥＤ前照灯用交換防水円筒状カバーでは、放熱性を高めるために、ＬＥＤ前照灯用交換防水円筒状カバーのカバー表面に、放熱のためのフィンを設けることができる。放熱フィンとＬＥＤ前照灯用交換防水円筒状カバーを一体成型することもできる。  
【００１３】
さらに、本発明のＬＥＤ前照灯用交換防水円筒状カバーは、収納容積を大きくするために、円筒状純正防水カバーよりも、円筒方向の距離を長くして、収納容積を高めることができる。円筒方向の距離以外は、すべて、円筒状純正防水カバーと同一形状をしているので、前照灯本体への取付け構造に支障はなく、前照灯本体への取り付け、取り外しは、自由に行える。 
【産業上の利用可能性】
【００１４】
本発明のＬＥＤ前照灯用交換防水円筒状カバーは、ハロゲンランプ前照灯の市販車を購入し、ハロゲンランプを用いた前照灯から、ＬＥＤ前照灯に変えるユーザーが増えているため、自働車のアフターマーケットを活発化し、産業上の利用可能性が高いものである。 
【符号の説明】
【００１５】
１・・・ヘッドランプ２・・・純正防水カバー２’ ・・・ＬＥＤ前照灯用交換防水円筒状カバー３・・・点灯回路（ドライバー回路）３’・・・点灯回路（ドライバー回路）収納部位４・・・フィン５・・・Ｏ−リング６・・・係合片 
【図１】
0006538126.tif 000002
【図２】
0006538126.tif 000003
【図３】
0006538126.tif 000004
【図４】
0006538126.tif 000005
【図５】
0006538126.tif 000006